(57)【要約】【課題】この考案は、２連、３連としたネックレス等の装身具において、各環状部が互いに絡み合って美観を損ねるおそれがなく、また整然と身体に装着するのに時間がほとんどかからず、しかも何本も揃えなくても１本のネックレス等の装身具だけで多くのバリエーションを楽しめることができるネックレス等の装身具を提供しようとするものである。【解決手段】チェーンや紐類をループ状に形成し、その両端に取り付けた連結金具を用いて着脱自在に連結して使用するネックレス等の装身具であって、前記ループの適所に一対の分岐金具を取り付けて部分的に複数の環状部を形成するとともに、各環状部の長さを異ならせ、かつ各環状部に装飾体を吊り下げたことを特徴するネックレス等の装身具。【選択図】  図１
0003141402.tif 000002
【実用新案登録請求の範囲】
【請求項１】
チェーンや紐類をループ状に形成し、その両端に取り付けた連結金具を用いて着脱自在に連結して使用するネックレス等の装身具であって、前記ループの適所に一対の分岐金具を取り付けて部分的に複数の環状部を形成するとともに、各環状部の長さを異ならせ、かつ各環状部に装飾体を吊り下げたことを特徴するネックレス等の装身具。
【請求項２】
前記分岐金具が、ボールチェーンを介してチェーンや紐類に連結した連結環からなることを特徴とする請求項１記載のネックレス等の装身具。
【請求項３】
前記連結金具から一対の分岐金具の各金具までの長さを、それぞれ異なる長さとしたことを特徴とする請求項１または２記載のネックレス等の装身具。
【考案の詳細な説明】
【技術分野】
【０００１】
この考案は、ネックレスやブレスレット等の装身具に関するものである。
【背景技術】
【０００２】
従来、２連、３連ネックレスやブレスレット等の装身具は、チェーンや連続した飾り駒、紐類を数珠状とし、その両端部をまとめた状態で連結金具に取り付けて複数本の環状とし、それを着用していた。
そのような２連、３連ネックレスやブレスレット等の装身具の例としては、実開昭６３−１５９５１３号公報（特許文献１参照）や、登録実用新案第３０６６１０５号公報（特許文献２参照）、特開２００１−８７１８号公報（特許文献３参照）、特開２００１−２３１６１４号公報（特許文献４参照）等が挙げられる。
【０００３】
しかし、これらのネックレス等の装身具はその２連、３連としたというだけであり、かつペンダント等を取り付ける場合でもその取り付け方が１つしかないため、変わった形で違うバリエーションを楽しむには他のネックレス等の装身具を別に何本か揃える必要があった。
また、２連、３連のネックレス等の装身具の相対長さを変えたいときは、やはり別なネックレス等の装身具が必要となって費用が嵩み、かつ、首の後ろに位置させる連結金具が２個以上となるために装飾性が劣ったり、首の後ろがうるさくなって装着感が悪くなる等の欠点があった。
【０００４】
他方、ループの一部のみを２連、３連としたネックレス等の装身具の例としては、登録実用新案第３０４６７１１号公報（特許文献５参照）および登録実用新案第３１０６９８３号公報（特許文献６参照）等が挙げられる。
【特許文献１】実開昭６３−１５９５１３号公報
【特許文献２】登録実用新案第３０６６１０５号公報
【特許文献３】特開２００１−８７１８号公報
【特許文献４】特開２００１−２３１６１４号公報
【特許文献５】登録実用新案第３０４６７１１号公報
【特許文献６】登録実用新案第３１０６９８３号公報
【考案の開示】
【考案が解決しようとする課題】
【０００５】
しかしながら、前記いずれの先行技術においても、２連、３連としたネックレス等の装身具において、特に各環状部が互いに絡み合って美観を損ねてしまったり、整然と身体に装着するのに時間がかかってしまったりするという問題点があった。
この考案は、２連、３連としたネックレス等の装身具において、各環状部が互いに絡み合って美観を損ねるおそれがなく、また整然と身体に装着するのに時間がほとんどかからず、しかも何本も揃えなくても１本のネックレス等の装身具だけで多くのバリエーションを楽しめることができるネックレス等の装身具を提供しようとするものである。
【課題を解決するための手段】
【０００６】
すなわちこの考案のネックレス等の装身具は、チェーンや紐類をループ状に形成し、その両端に取り付けた連結金具を用いて着脱自在に連結して使用するネックレス等の装身具であって、前記ループの適所に一対の分岐金具を取り付けて部分的に複数の環状部を形成するとともに、各環状部の長さを異ならせ、かつ各環状部に装飾体を吊り下げたことを特徴するものである。
【０００７】
この考案のネックレス等の装身具は、前記分岐金具が、ボールチェーンを介してチェーンや紐類に連結した連結環からなることをも特徴とするものである。
【０００８】
この考案のネックレス等の装身具は、前記連結金具から一対の分岐金具の各金具までの長さを、それぞれ異なる長さとしたことをも特徴とするものである。
【考案の効果】
【０００９】
この考案のネックレス等の装身具は、２連以上の環状部を構成するネックレス等において、簡単な構造であっても、各環状部が互いに絡み合って美観を損ねるおそれがなく、また整然と身体に装着するのに時間がほとんどかからない、使い勝手の良いネックレス等の装身具となった。
しかも、何本も揃えなくても１本のネックレス等の装身具だけで多くのバリエーションを楽しめることができるばかりか、各環状部に取り付ける装飾体の交換等ともあいまって、多様なバリエーションを創出することができる、新規なネックレス等の装身具を提供することが可能となった。
【考案を実施するための最良の形態】
【００１０】
次に、図面に基いてこの考案のネックレス等の装身具の実施の形態を詳細に説明する。
図１はこの考案のネックレス等の装身具の１実施例を示す正面図および部分拡大図、図２は複数の環状部の拡大図である。
図１および図２において、１１はチェーンや紐類をループ状に形成したネックレス本体であり、例えば多数の中空状の駒１２を順次連結したものであって、ループ状の開放部分をその両端に取り付けた連結金具１３を介して着脱自在に連結して使用するようになっている。１４は連結金具１３を構成する引き輪、１５は引き輪１４のピンを挿通する孔を形成した孔開きプレートである。もちろん、連結金具１３の構造はこのような引き輪状のものやクラスプ状のもの等に限られるものではない。
なお、図においては引き輪１４の他端にシリコンゴム等を充填して挿通孔を開けた長さ調節金具１６が取り付けてあり、ネックレス本体１１の端部に取り付けた抜止め具１７を引っ張ることにより、ネックレス本体１１の長さを調節することができるように構成してある。
【００１１】
前記ループの適所には、前記連結金具１３から後述の一対の分岐金具２１，２２の各金具までの長さを、それぞれ異なる長さとして一対の分岐金具２１，２２を取り付けてあり、この一対の分岐金具２１，２２を介して、前記ループ部分に部分的に複数の環状部２３が形成してある。
この環状部２３はそれぞれ、その長さを異ならせてあり、かつ各環状部２３には装飾体２４がバチカン２５等を用いて吊り下げてある。この装飾体２４はダイヤモンドやサファイア、ルビーその他の宝石からなり、バチカン２５を取り付けた台座（図示せず）上に、複数の爪２６を介して爪止めされている。
【００１２】
前記分岐金具２１，２２は、例えば図１の拡大図部分に示すような、ボールチェーン３１を介してネックレス本体１１に連結した連結環３２からなるものである。そして、この連結環３２に各環状部２３の端部に取り付けた丸環３３を連結することにより、各環状部２３を連結しており、したがって、ネックレス本体１１と各環状部２３との間にねじれが生じても、簡単にねじれを解消することができる。
また、前記各環状部２３はそれぞれ異なる長さとなっており、この点からも各環状部２３が絡まってしまうことを防止したり、簡単に解消したりすることができる。
【００１３】
この考案のネックレス等の装身具の使用に際しては、従来と同様に連結金具１３間を解除して開放しておき、首や腕、足首等に巻き付け、連結金具１３を閉じる。その上で、もし各環状部２３が絡まっている場合には、前記ボールチェーン３１部分を回して絡まりを解除すればよい。そうすれば、簡単に所定の位置および所望の形態にてファッションに合わせて用いることができる。
【００１４】
なお、前記ネックレス本体１１の前記連結金具１３から後述の一対の分岐金具２１，２２の各金具までの長さを、それぞれ異なる長さとして一対の分岐金具２１，２２を取り付けてあるので（請求項３参照）、左右の対称性がくずれて非常に趣のあるデザインのものとすることができ、しかもほとんど製作に手間をかけるおそれがなく、低コストでバリエーションに富む装身具を得ることができる。
【産業上の利用可能性】
【００１５】
この考案のネックレス等の装身具は、ネックレスやペンダントとしてのみならず、腕に装着するブレスレットとして、あるいは足首に装着するアンクレット等としても使用することができる。もちろん装身具であれば、上記用途に限定されるもんもではない。
【図面の簡単な説明】
【００１６】
【図１】図１はこの考案のネックレス等の装身具の１実施例を示す正面図および部分拡大図である。
【図２】複数の環状部の各大豆である。
【符号の説明】
【００１７】
１１  ネックレス本体
１２  中空状の駒
１３  連結金具
１４  引き輪
１５  孔開きプレート
１６  長さ調節金具
１７  抜止め具
２１，２２  分岐金具
２３  環状部
２４  装飾体
２５  バチカン
２６  爪
３１  ボールチェーン
３２  連結環
３３  丸環
【図１】
0003141402.tif 000003
【図２】
0003141402.tif 000004